【手続補正書】
【提出日】令和3年1月19日(2021.1.19)
【手続補正１】
【補正対象書類名】特許請求の範囲
【補正対象項目名】全文
【補正方法】変更
【補正の内容】
【特許請求の範囲】
【請求項１】
１以上の映像信号を入力する入力手段と、
前記１以上の映像信号のそれぞれに対応する１以上の操作画像を含む表示画像を生成する生成手段と、
前記表示画像に基づいて画像を表示する表示手段に前記表示画像を出力する出力手段と、を備え、
前記生成手段は、前記１以上の映像信号を出力した出力装置、または前記出力装置が属するネットワークグループが識別可能な状態で前記１以上の映像信号のそれぞれに対応する前記１以上の操作画像が表示されるように、前記表示画像を生成することを特徴とする画像処理装置。
【請求項２】
前記生成手段は、第１のネットワークグループに属する出力装置から出力された映像信号に対応する操作画像を前記表示画像の第１領域に配置し、前記第１のネットワークグループと異なる第２のネットワークグループに属する出力装置から出力された映像信号に対応する操作画像を前記表示画像の前記第１領域と異なる第２領域に配置することを特徴とする請求項１に記載の画像処理装置。
【請求項３】
前記生成手段は、第１のネットワークグループに属する出力装置から出力された映像信号に対応する操作画像の一部を第１の色で着色し、前記第１のネットワークグループと異なる第２のネットワークグループに属する出力装置から出力された映像信号に対応する操作画像の一部を前記第１の色と異なる第２の色で着色して、前記表示画像を生成することを特徴とする請求項１に記載の画像処理装置。
【請求項４】
前記生成手段は、第１のネットワークグループに属する出力装置から出力された映像信号に対応する操作画像に、前記第１のネットワークグループを示す画像を合成し、前記第１のネットワークグループと異なる第２のネットワークグループに属する出力装置から出力された映像信号に対応する操作画像に、前記第２のネットワークグループを示す画像を合成して、前記表示画像を生成することを特徴とする請求項１に記載の画像処理装置。
【請求項５】
前記生成手段は、第１のネットワークグループに属する出力装置から出力された映像信号に対応する１以上の操作画像を重畳した画像を第１領域に配置し、前記第１のネットワークグループと異なる第２のネットワークグループに属する出力装置から出力された映像
信号に対応する１以上の操作画像を重畳した画像を前記第１領域と異なる第２領域に配置して、前記表示画像を生成することを特徴とする請求項１に記載の画像処理装置。
【請求項６】
前記生成手段は、前記１以上の映像信号それぞれに付加された前記１以上の映像信号それぞれを出力した出力装置が属するネットワークグループを示す付加情報を取得する取得手段と、
前記付加情報に基づいて、前記１以上の映像信号をネットワークグループごとに分類したグループを決定する決定手段と、
前記１以上の映像信号それぞれに対応する前記操作画像を作成する作成手段と、
決定されたグループに基づいて、前記１以上の映像信号それぞれに対応する前記操作画像が分類されて表示されるように前記操作画像を合成して前記表示画像を生成する合成手段と、
を備えることを特徴とする請求項１乃至５のいずれか１項に記載の画像処理装置。
【請求項７】
前記生成手段は、第１の出力装置から出力された映像信号に対応する操作画像を前記表示画像の第１領域に配置し、前記第１の出力装置と異なる第２の出力装置から出力された映像信号に対応する操作画像を前記表示画像の前記第１領域と異なる第２領域に配置することを特徴とする請求項１に記載の画像処理装置。
【請求項８】
前記生成手段は、第１の出力装置から出力された映像信号に対応する操作画像の一部を第１の色で着色し、前記第１の出力装置と異なる第２の出力装置から出力された映像信号に対応する操作画像の一部を前記第１の色と異なる第２の色で着色して、前記表示画像を生成することを特徴とする請求項１に記載の画像処理装置。
【請求項９】
前記生成手段は、第１の出力装置から出力された映像信号に対応する操作画像に、前記第１の出力装置を示す画像を合成し、前記第１の出力装置と異なる第２の出力装置から出力された映像信号に対応する操作画像に、前記第２の出力装置を示す画像を合成して、前記表示画像を生成することを特徴とする請求項１に記載の画像処理装置。
【請求項１０】
前記生成手段は、第１の出力装置から出力された映像信号に対応する１以上の操作画像を重畳した画像を第１領域に配置し、前記第１の出力装置と異なる第２の出力装置から出力された映像信号に対応する１以上の操作画像を重畳した画像を前記第１領域と異なる第２領域に配置して、前記表示画像を生成することを特徴とする請求項１に記載の画像処理装置。
【請求項１１】
前記生成手段は、前記１以上の映像信号それぞれに付加された前記１以上の映像信号それぞれを出力した出力装置を示す付加情報を取得する取得手段と、
前記付加情報に基づいて、前記１以上の映像信号を出力装置ごとに分類したグループを決定する決定手段と、
前記１以上の映像信号それぞれに対応する前記操作画像を作成する作成手段と、
決定されたグループに基づいて、前記１以上の映像信号それぞれに対応する前記操作画像が分類されて表示されるように前記操作画像を合成して前記表示画像を生成する合成手段と、
を備えることを特徴とする請求項１、および請求項７乃至１０のいずれか１項に記載の画像処理装置。
【請求項１２】
前記付加情報は、出力装置から送信される映像信号に対して所定処理を行ってから映像信号を送信する連携機器に関する連携機器情報を含み、
前記作成手段は、さらに前記連携機器から送信された映像信号の操作画像を作成し、
前記合成手段は、出力装置の操作画像と、該出力装置と連携する連携機器の操作画像と
が関連付けられて表示されるように、表示画像を生成することを特徴とする請求項１１に記載の画像処理装置。
【請求項１３】
前記合成手段は、出力装置の操作画像と、該出力装置と連携する連携機器の操作画像とが所定の範囲内に表示されるように、表示画像を生成することを特徴とする請求項１２に記載の画像処理装置。
【請求項１４】
前記合成手段は、出力装置の操作画像と、該出力装置と連携する連携機器の操作画像とのうち、解像度が低い方の操作画像の大きさが他方の操作画像よりも小さく表示されるように、表示画像を生成することを特徴とする請求項１２または１３に記載の画像処理装置。
【請求項１５】
前記作成手段は、前記映像信号に基づく画像のサイズを縮小した縮小画像データを、操作画像として作成することを特徴とする請求項１２乃至１４のいずれか１項に記載の画像処理装置。
【請求項１６】
前記操作画像は、対応する映像信号を識別可能とする情報を含むアイコン画像であることを特徴とする請求項１乃至１５のいずれか１項に記載の画像処理装置。
【請求項１７】
前記表示画像に含まれる前記１以上の操作画像のうちいずれかを選択する選択手段をさらに備え、
前記生成手段は、前記選択された操作画像に対応する映像信号に基づく画像が前記表示手段において最大の面積で表示されるように、前記表示画像を生成することを特徴とする請求項１乃至１６のいずれか１項に記載の画像処理装置。
【請求項１８】
１以上の映像信号を入力するステップと、
前記１以上の映像信号のそれぞれに対応する１以上の操作画像を含む表示画像を生成するステップと、
前記表示画像に基づいて画像を表示する表示手段に前記表示画像を出力するステップと、を有し、
前記生成するステップで、前記１以上の映像信号を出力した出力装置、または前記出力装置が属するネットワークグループが識別可能な状態で前記１以上の映像信号のそれぞれに対応する前記１以上の操作画像が表示されるように、前記表示画像を生成することを特徴とする画像処理装置の制御方法。
【請求項１９】
請求項１〜１７のいずれか１項に記載の画像処理装置の各手段としてコンピュータを機能させるためのプログラム。
【手続補正２】
【補正対象書類名】明細書
【補正対象項目名】０００６
【補正方法】変更
【補正の内容】
【０００６】
本発明の第一態様は、１以上の映像信号を入力する入力手段と、前記１以上の映像信号のそれぞれに対応する１以上の操作画像を含む表示画像を生成する生成手段と、前記表示画像に基づいて画像を表示する表示手段に前記表示画像を出力する出力手段と、備え、前記生成手段は、前記１以上の映像信号を出力した出力装置、または前記出力装置が属するネットワークグループが識別可能な状態で前記１以上の映像信号のそれぞれに対応する前記１以上の操作画像が表示されるように、前記表示画像を生成する画像処理装置を提供す
る。
本発明の第二態様は、１以上の映像信号を入力するステップと、前記１以上の映像信号のそれぞれに対応する１以上の操作画像を含む表示画像を生成するステップと、前記表示画像に基づいて画像を表示する表示手段に前記表示画像を出力するステップと、を有し、前記生成するステップで、前記１以上の映像信号を出力した出力装置、または前記出力装置が属するネットワークグループが識別可能な状態で前記１以上の映像信号のそれぞれに対応する前記１以上の操作画像が表示されるように、前記表示画像を生成することを特徴とする画像処理装置の制御方法を提供する。
本発明の第三態様は、第一態様に記載の画像処理装置の各手段としてコンピュータを機能させるためのプログラムを提供する。